(57)【要約】      （修正有）【課題】口の中に手指を差し入れることなく、また一度の操作で上下の歯列等の両側を同時に接着して迅速、確実に口の開きを防止できる遺体用顎弛緩防止用具を提供する。【解決手段】ばね性を有するほぼＵ字形の本体部１と、この本体部１の両腕部１ａの先端の内側に対向状に取り付けられている上顎、下顎の接着用部材２とで形成する。この接着用部材２と上記の本体部１とを、離脱自在に形成する。また、上記の本体部１と接着用部材２とで形成すると共に、接着用部材２を接着剤層と基材層とで積層状に形成し、接着剤層から基材層と本体部１とを離脱自在に形成するのでも良い。【選択図】図１
0003150639.tif 000002
【実用新案登録請求の範囲】
【請求項１】
ばね性を有するほぼＵ字形の本体部と、この本体部の両腕部の先端の内側に対向状に取り付けられている上顎、下顎の接着用部材とで形成され、この接着用部材と上記の本体部とが離脱自在に形成されていることを特徴とする遺体用顎弛緩防止用具。
【請求項２】
ばね性を有するほぼＵ字形の本体部と、この本体部の両腕部の先端の内側に対向状に取り付けられている上顎、下顎の接着用部材とで形成され、この接着用部材が接着剤層と基材層とで積層状に形成され、接着剤層から基材層と本体部とが離脱自在に形成されていることを特徴とする遺体用顎弛緩防止用具。
【請求項３】
請求項１又は２記載の遺体用顎弛緩防止用具であって、本体部が板状に形成されていることを特徴とする遺体用顎弛緩防止用具。
【請求項４】
請求項３記載の遺体用顎弛緩防止用具であって、本体部が合成樹脂材で形成されていることを特徴とする遺体用顎弛緩防止用具。
【考案の詳細な説明】
【技術分野】
【０００１】
本考案は、遺体用顎弛緩防止用具に関し、更に詳しくは遺体の顎の筋肉が弛緩して口が開くのを防止するための遺体用顎弛緩防止用具に関するものである。
【背景技術】
【０００２】
従来、この種の用具としては、例えば特許文献１に記載されているものがある。この従来品は、対向する第１、第２の固定部材と、この各固定部材を連結する連結用具とでなり、上下の顎の歯列又は歯茎に跨るようにして第１、第２の固定部材で歯列等を挟み付けたり、或いは固定部材に接着剤層を設け、この接着剤層で上下の歯列等を接着して、口が開くのを防止できるよう形成しているものである。
【０００３】
而して、第１、第２の固定部材で上下の歯列等を挟み付ける場合は、狭い口の中に固定部材をセットする作業を、円滑、迅速にできず、また歯列等を挟み付ける構造のため、これによると歯茎等を傷付ける惧れもあった。
【０００４】
またこの従来品は、固定部材に接着剤層が設けられているだけであったから、上下の歯列等を接着するとき、作業者が手を遺体の口の中に差し入れて操作する必要があり、死者（故人）に対する畏敬の念を失墜する惧れがあった。また固定を確実にするため、例えば歯列の両側を接着するときは、夫々の箇所を個別に接着する必要があったから、これによると効率が悪く、迅速性に欠ける、という問題点があった。
【先行技術文献】
【特許文献】
【０００５】
【特許文献１】特開２００１−２５８９６３号公報
【考案の概要】
【考案が解決しようとする課題】
【０００６】
本考案は、このような従来技術の問題点に鑑み、提案されたものである。
従って本考案の解決しようとする課題は、口の中に手指を差し入れることなく、また一度の操作で上下の歯列等の両側を同時に接着して迅速、確実に口の開きを防止できるように形成した遺体用顎弛緩防止用具を提供することにある。
【課題を解決するための手段】
【０００７】
本考案は、このような技術的課題を達成するため、次のような技術的手段を採る。
即ち、本考案は、ばね性を有するほぼＵ字形の本体部１と、この本体部１の両腕部１ａの先端の内側に対向状に取り付けられている上顎、下顎の接着用部材２とで形成され、この接着用部材２と上記の本体部１とが離脱自在に形成されていることを特徴とする（請求項１）。
【０００８】
ここで、ばね性を有するとは、両腕部１ａに内方への力を加えると外方に復元したり、逆に本体部１の両腕部１ａを外方に拡げると内方へ復元する性質を有している、ということを意味する。
またここで、ほぼＵ字形とは、両腕部１ａの先端の接着用部材２を、歯３（歯列を含む、以下同じ）や歯茎を外側から挟み付けることが可能な形状であれば、完全なＵ字形には限られない、ということを意味する。具体的には、例えばＵ字形、両腕部１ａの接続箇所が鉤形状のコの字形、或いはピンセットのように両腕部１ａの接続箇所が鋭角状の形態がある。
またここで、上顎、下顎の接着用とは、上顎と下顎の例えば奥歯等の歯３同士、又は歯３と歯茎、或いは歯茎同士を接着して口を閉じるのに使用する、ということを意味する。
また離脱自在に形成されている、とは、歯３等を接着後、本体部１を接着用部材２から取り外すことができる、ということを意味する。具体的には、例えば接着力が極めて低い低粘着性の接着剤で接着用部材２と両腕部１ａの先端とを例えばスポット的に接着したり、或いは両腕部１ａの先端を接着用部材２に差し込み係止することで実現される。
【０００９】
また本考案の他の構成としては、例えば図５に示されるように、ばね性を有するほぼＵ字形の本体部１と、この本体部１の両腕部１ａの先端の内側に対向状に取り付けられている上顎、下顎の接着用部材２とで形成され、この接着用部材２が接着剤層２ａと基材層２ｂとで積層状に形成され、接着剤層２ａから基材層２ｂと本体部１とが離脱自在に形成されていることを特徴とするものがある（請求項２）。
【００１０】
この本考案の場合は、接着剤層２ａで上顎と下顎とを固定した後、図６に示されるように、本体部１を基材層２ｂと一緒に口の中から抜き取るものである。ばね性等、請求項1の本考案と共通する事項については、同様の意味である。
【００１１】
而して本考案の場合、本体部１は、板状に形成されているのが好ましい（請求項３）。
なぜならこれによると、本体部１が棒状に形成されている場合に比べ、手指と本体部１との接触面積を大きく確保でき、その分、接着用部材２を安定した姿勢、向きで、上下の歯３や歯茎にあてがって接着操作できるからである。
【００１２】
また本考案は、本体部１が合成樹脂材で形成されているのが好ましい（請求項４）。
なぜならこれによると、本体部１を金属材で形成する場合に比べ、密封用の樹脂袋と一緒に、例えば不燃ごみとして使い捨てでき、量産化や軽量化、低価格化を図ることができるからである。
【考案の効果】
【００１３】
本考案は、このように、ばね性を有するほぼＵ字形の本体部と、この本体部の両腕部の先端の内側に対向状に取り付けられている上顎、下顎の接着用部材とで形成され、この接着用部材と上記の本体部とが離脱自在に形成されているものである。
また請求項２の本考案は、上記の接着用部材が接着剤層と基材層とで積層状に形成され、接着剤層から基材層と本体部とが離脱自在に形成されているものである。
【００１４】
従って本考案によれば、口の中に手指を差し入れることなく、体裁良く作業できる。
また本考案は、本体部がばね性を有しているから、両腕部で歯等（口）の両側を挟み、一度に左右の二箇所を接着できる。
従ってこれによれば、迅速、確実に上顎と下顎を接着できる、という実用上優れた効果を奏する。
【図面の簡単な説明】
【００１５】
【図１】本考案の用具の好適な一実施形態を示す斜視図である。
【図２】同上用具の平面図である。
【図３】同上用具の使用例を説明するための要部側面図である。
【図４】図３のＩＶ−ＩＶ線における要部拡大断面図である。
【図５】本考案の他の構成を示す平面図である。
【図６】図５の本考案の使用例を説明するための要部平面図である。
【図７】本考案の他の使用例を説明するための要部側面図である。
【図８】図７の使用例で本体部を引き抜いたときの要部側面図である。
【考案を実施するための形態】
【００１６】
以下、本考案の好適な実施形態を、添付図面に従って説明する。
【実施例１】
【００１７】
本考案は、図１等に示されるように、ばね性を有するほぼＵ字形の本体部１と、この本体部１の両腕部１ａの先端の内側に対向状に取り付けられている上顎、下顎の接着用部材２とで形成されている。この実施形態の場合、接着用部材２は、瞬間的に乾燥する接着剤を、スポンジ等の多孔質で弾性を有する基材に含滲させることで形成されている。またこの接着用部材２は、本体部１と共に密封され、開封されることで接着効果があらわれるよう形成されている。
【００１８】
上記の本体部１は、この実施形態では両腕部１ａに内方への力を加えると外側に拡がろうとするばね性を備えて合成樹脂材で板状に形成されている。また両腕部１ａの先端の内面は、接着用部材２と離脱が容易な状態に形成されている。この実施形態では、両腕部１ａの先端の内面と接着用部材２の外面とを、接着力が極めて低い低粘着性の接着剤でスポット的に接着することで実現されている。
【００１９】
次に本考案の使用例を説明する。
使用者は、本体部１の両腕部１ａをピンセット状に把持し、図３に示されるように、両腕部１ａの先端を口の中に差し入れ、例えば上顎と下顎の歯３の外側に接着用部材２を配置する。この場合、差し入れ位置は、奥歯の位置でも犬歯のあたりでも良い。また歯３同士に止まらず、歯茎を含めた位置や、入れ歯等で歯のない遺体の場合は、上下の歯茎の外側に接着用部材２を配置するのでも良い。
【００２０】
次に使用者は、両腕部１ａが互いに接近するよう、両腕部１ａのばね力に抗して内方へ力を加え、先端の接着用部材２で歯３の両側を挟み付ける（図４参照）。そして使用者は、接着用部材２に含まれている接着剤が乾いて上顎と下顎が完全に接着したら、本体部１を牽引する。
【００２１】
これにより、接着用部材２が上下の歯３の両側を一度に接着した状態で本体部１だけが抜き取られる。なお、抜き取った本体部１は、例えば開封時の樹脂袋に入れ、廃棄する。
【実施例２】
【００２２】
次に請求項２に係る本考案の好適な一実施例を、図５等に従って説明する。
なお、上例と同一部材、同一箇所には、同一の符号を付し、詳しい説明は省略する。
【００２３】
この本考案は、上例と同様、ばね性を有するほぼＵ字形の本体部１と、この本体部１の両腕部１ａの先端の内側に対向状に取り付けられている上顎、下顎の接着用部材２とで形成されている。
【００２４】
本考案の場合、接着用部材２は、接着剤層２ａと基材層２ｂとで積層状に形成され、接着剤層２ａから基材層２ｂと本体部１とが離脱自在に形成されている。
接着剤層２ａは、この実施形態では接着性が極めて低い低粘着性の接着剤で基材層２ｂに接着されている。また基材層２ｂは、クッション性を有するスポンジ等の材料で形成され、腕部１ａの先端に強固に接着されている。
【００２５】
この本考案の場合は、使用者が本体部１の両腕部１ａを把持してその先端で歯３等を挟むと、先端の接着用部材２の接着剤層２ａで上下の歯３等が接着され、口が閉じられる。そして使用者が、図６に示されるように、本体部１を引くと、接着剤層２ａから基材層２ｂが離脱して、基材層２ｂと本体部１とが一緒に口の中から取り出される。
【００２６】
以上の処において、本考案は、図７、図８に示されるように、例えば歯３や歯茎の噛み合わせ面に接着用部材２或いは接着剤層２ａを配置させて、歯３や歯茎同士が接着可能になるよう形成されているのでも良い。
また本考案の場合、接着用部材２は、短時間で、迅速に固定できるよう、瞬間接着可能な接着剤によるのが好ましいが、これに限られるものではない。
また本考案の場合、接着用部材２や接着剤層２ａは、歯３や歯茎と接触する内面が、歯３等の湾曲に合わせて湾曲状に形成されているのでも良い。
更に本考案の場合、接着剤層２ａと基材層２ｂとは綺麗に接合されている必要はなく、本体部１を引くことにより、基材層２ｂが、接着剤層２ａから歯３等の接着状態を害することなく、強制的に引き剥がされて本体部１と一緒に抜き取り可能になるよう形成されているのでも良い。
【符号の説明】
【００２７】
１    本体部
１ａ  両腕部
２    接着用部材
２ａ  接着剤層
２ｂ  基材層
３    歯（歯列）
【図１】
0003150639.tif 000003
【図２】
0003150639.tif 000004
【図３】
0003150639.tif 000005
【図４】
0003150639.tif 000006
【図５】
0003150639.tif 000007
【図６】
0003150639.tif 000008
【図７】
0003150639.tif 000009
【図８】
0003150639.tif 000010